(57)【要約】患者の背および下半身を伸長、屈曲、牽引、伸延および側方移動するための、足および下腿を支持および処置するための台は、床の上に載るように適合された基部（１０）、ならびにこの基部に一体型に固定された上側端および下側端を有するシステム支持アセンブリ（１４／１６）を備え、この支持アセンブリは、旋回軸（２２）を備える。この処置台はまた、一端を有し、回帰移動を提供するためにシステム支持アセンブリに旋回可能に装着された選択可能な回帰伸長要素を備える。この台はさらに、支持アセンブリの剛性支持プラットフォーム（２２）を備え、そしてさらに、この支持プラットフォームの回転運動を提供するために選択可能な伸長要素に旋回可能に固定されている。この処置台はさらに、剛性指示プラットフォーム（２６）に関して調節可能に位置づけ可能な身体支持アセンブリ（３２）を備える。
2006523512.tif 000002
【特許請求の範囲】
【請求項１】
患者の背および下半身を、伸長、屈曲、牽引、伸延および側方移動するための、足および下腿を支持および処置するための台であって、該台は、以下：
（ａ）床の上に載るように適合された基部；
（ｂ）該基部と一体型に固定された上側端および下側端を有するシステム支持手段であって、その該上側端の近位にある旋回軸を備える、システム支持手段；
（ｃ）上側端および下側端を有する選択可能に回帰伸長させるための手段であって、一方の端は、該システム支持手段に旋回可能に設置され、該選択可能な伸長手段は、該一方の端のその対向する端に関する回帰移動を提供する、手段；
（ｄ）上側部分および下側部分を有する剛性支持プラットフォームであって、該プラットフォームは、該システム支持手段の該旋回軸に旋回可能に固定されており、さらに、該選択可能な伸長手段の該一方の端に旋回可能に固定されており、それにより、結果的に該支持プラットフォームの回転運動を提供する、剛性支持プラットフォーム；
（ｅ）該剛性支持プラットフォームに関して調節可能に位置づけ可能な身体支持アセンブリであって、上側端および下側端を有する、身体支持アセンブリ；
（ｆ）該身体支持アセンブリから枝分かれした腰支持アセンブリ；
（ｇ）該身体支持アセンブリの近位部分に関して上または傾いた平面において、該腰アセンブリを独立して関節接合および移動するための手段；ならびに
（ｈ）該剛性プラットフォーム上に横方向に設置された脚支持アセンブリであって、該アセンブリは、該プラットフォームに対して垂直な平面に関して位置調節可能であり、そして、該平面の下に延びる範囲を有し、その重心の下にある患者の下半身の湾曲がそれにより調節され得る、クッションを備える、脚支持アセンブリ
を備え、これにより、患者の該背に対する種々の治療効果が、地面からの力学的回転、該基部に関する該身体プラットフォームの選択可能な位置調節、ならびに、患者の重心に関する該背中アセンブリおよび該脚支持アセンブリのいずれかまたは両方の位置の変化を通じて達成され得る、台。
【請求項２】
さらに、以下：
（ｊ）前記身体支持プラットフォームの長手軸に関する前記脚支持アセンブリの側方の移動を可能にするための手段
を備える、請求項１に記載の台。
【請求項３】
さらに、以下：
前記身体支持アセンブリの回転移動の間に、前記患者を該身体支持アセンブリに留まらせることを可能にするための手段
を備える、請求項２に記載の台。
【発明の詳細な説明】
【背景技術】
【０００１】
（発明の背景）
本発明は、本出願人の米国特許第４，９１５，１０１号（１９９０年）および同第５，９２２，０１１号（１９９９年）の発明、ならびに、２０００年９月１３日に出願された、本出願人の出願番号０９／６６１，０７８において反映された発明の改善である。
【０００２】
いくつかの特定の目的のために、独特の方法で患者を懸架または位置付ける多数のデバイス（脊柱指圧療法、整骨治療、産科、分娩、Ｘ線および手術台が挙げられる）が当該分野で公知である。
【０００３】
Ｓｔｉｌｅｓに対する米国特許第４，５６８，６６９号（１９７１年）は、患者が自身の背中の最初の真っ直ぐな位置から、足首を吊った完全に反転した位置まで、１８０度回転される、体位ボードを開示する。身体を自由に吊ることによって、垂直な引力が逆転し、従って、骨の構造、脊柱、筋肉、内臓および体液に対する治療効果を生じる。
【０００４】
Ｓｈａｎｌｅｙに対する米国特許第４，１０３，６８１号（１９７８年）は、同様に、ここでも自身の仰向けに寝かされた患者が、旋回点の周りで回転されて、背中または体位の誤整列を処置する、傾斜牽引装置を開示する。
【０００５】
Ｋｒａｕｓｅに対する米国特許第４，２９２，９２６号（１９８１年）は、旋回プラットフォームに顔を下向けに寝かされたまま、患者が、自身の腕の位置を変え、吊られている間に重心を調節し、それにより、台の上の自身の体位に影響を与えることができる、人間の体位治療に効果を与えるための装置を提示する。
【０００６】
背下部の不全を処置するために指定された任意のデバイスの成功は、大部分が、処置前、処置中、および処置後の、患者の適切な位置決めに依存することが理解されるべきである。例えば、標準的な牽引治療において、患者は、骨盤ハーネスを装着し、ベッドに仰向けに位置決めされ、背中は、わずかに固定され、膝は曲げられる。ハーネスに装着されたストラップまたはロープは、次いで、滑車機構内に挿入され、反対側に重りが装着され、所望の引上げ牽引効果を生じる。このような引上げ牽引力は、脊柱の伸長（伸延）および内部椎間ディスクの圧力の減少を生じる。このことは、ディスクの内側の真空減少を生じ、突出したゲル化物質を、繊維状ケーシングまで引き戻し、脊髄神経根からずらす。疼痛がなくなり、解剖学がその自然な状態まで回復されると、治療の牽引相が完了する。
【０００７】
同じ結果を達成するための代替的な理論は、ディスク内圧の減少を達成するために背の屈曲ではなく伸長に基づくが、同時に、神経根をヘルニアのディスクから離して解剖学的に移動する。
【０００８】
背の屈曲および軸方向の牽引の一般原理は当該分野で公知であり、種々のストラップおよび／またはハーネスの配置に影響を与えるが、上記のような回転−旋回型の台単独でか、または、このような台と組み合わせてのいずれかで、発明者らは、屈曲および伸長の両方、ならびに牽引を用いた側方の位置決めが、患者の特定の病気または状態によって、全て有利であり得ることを見出した。
【０００９】
従って、牽引または伸延の両方の可変の程度を、同時に患者の位置の屈曲、伸長、側方の屈曲および／または軸方向の脊髄の位置決めと組み合わせるシステムに対する需要が存在する。患者に対して有益であり、かつ医師に対しても簡便な本発明は、本発明の処置台が、旋回点の周りでの患者の回転が可能なだけでなく、さらに、手動の調節または自動のキーパッド制御によって患者の腕、上半身、脚、背下部、首および肩の相対的で選択可能な位置決めを可能にする点で、種々の方法でこの受容を満たす。本発明はまた、処置前の患者のうつむき、仰向けまたは側方に位置決めするような完全な選択を可能にする。このことは、さらに、処置前および処置間に、医師が患者の位置を変更すること、そして、患者のプラットフォームを選択的に不定に回転して、このような回転により付与される牽引引力に適用される牽引力の程度を変更することを可能にする。さらに、不定の椎骨牽引位置への「動的回転」、すなわち、患者が、調節可能な肩、腕および手の支持体によって支持されて台に対して上向きに静置されており、地面からリフトされ、それによって、上記のものに関して牽引動力学を達成し、すなわち、筋肉の迅速な延長、および椎間ディスクおよび関節空間の分離を増加する、「動的回転」がさらに提供される。このことは、患者を中空に吊りながら、または、下肢の重み、重力および選択された患者の解剖学的位置決めを利用して、患者を重み付け患者プラットフォームに静置しながら、健常なディスクの境界内に突出するディスク物質を引き戻すための真空現象を生じさせることを担う、負のディスク内圧の「ディスク無負荷」によって、背の可動化および迅速な展開の両方をもたらす。
【発明の開示】
【発明が解決しようとする課題】
【００１０】
従って、本発明者の発明は、以下の物質的観点において、本発明者の以前の発明の構造を機能的に上回って規定する：
１．患者を同時にか、または連続してリフトおよび回転し、こうして、医師に種々の処置オプション（台および患者の回転前、および回転中の、椎骨セグメントのより効果的な牽引を含む）を提供し、それにより、患者の明確な椎骨表面上のストレスを減少し、全体的により人間工学的な患者インターフェースを得る能力。
２．腰の伸長および腰の支持の可変の程度、ならびに、腰背（背下位）の全体的な可動化を達成するような、背下位支持アセンブリの橈骨を変化させる能力。
３．種々の角度で、背下位支持アセンブリの上半分または下半分を傾け、患者の腰および背の位置のより大きな範囲を腰の脊椎前弯を減少または増加させる能力。
【課題を解決するための手段】
【００１１】
（発明の要旨）
患者の背および下半身の、伸長、屈曲、牽引、伸延および側方移動するための、足および下腿を支持および処置するための台が提供される。この台は、より具体的には、フロア上に静止するように適合された基部、上記基部に一体型に固定された上側端および下側端を有するシステム支持手段を備え、この支持手段は、その上記上側端の近くに旋回軸を備える。この処置台はまた、上側端および下側端を有する選択可能な回帰（ｒｅｃｉｐｒｏｃａｌ）伸長のための手段を備え、一方の端は、上記システム指示手段に旋回可能に装着されており、上記選択可能な伸長手段は、その対向する端に関する、上記一方の端の回帰移動を提供する。この台はさらに、上側端および下側端を有する剛性支持プラットフォームを備え、上記プラットフォームは、上記指示手段の上記旋回軸に旋回可能に固定されており、さらに、上記選択可能な伸長手段の上記一方の端に旋回可能に固定されており、それにより、支持プラットフォームの結果として得られる回転運動を提供する。この処置台はなおさらに、上記剛性支持プラットフォームに関して調節位置決め可能な身体支持アセンブリ、およびその回転移動の間に上記身体支持アセンブリに上記患者を残したままにすることを可能にする手段を備え、上記アセンブリは、上側端および下側端を有する。
【００１２】
本発明の主な目的は、患者の腕、脚、背下位、首および肩の相対位置が動かせる様式で、脊椎障害の処置および／または適切な人間の体位の維持に必要とされ得るような、背の屈曲、伸長、牽引、側方移動を達成するための、多目的台を提供することである。
【００１３】
別の目的は、静置したまま、患者の回転および患者の動的リフトを可能にし、同時に、ディスクヘルニアの処置および他の障害および／または適切な人間の体位の維持に必要とされ得る患者の身体の位置決めを可能にする、多目的の回転可能な牽引／処置台を提供することである。
【００１４】
本発明のなお別の目的は、０度から少なくとも９０度までの運動範囲を有し、この範囲内で、０度から少なくとも９０度まで旋回し得、それによって、背下位支持アセンブリの重心、またはその近くの固有の上半身の支持および人体の位置付けにより可能になる、下肢支持アセンブリの不在下で、脊椎の屈曲、伸長、側方屈曲ならびに軸方向の脊椎の位置決めおよび牽引を含む、脊椎の位置決めを達成する能力を提供する、処置台を提供することである。
【００１５】
なおさらなる目的は、医師に過度の設定時間を要することなく、種々の気圧力学および他の調節を有し、広範に異なる年齢、伸長および体重の患者に適合することを可能にする、台を提供することである。
【００１６】
本発明の別の目的は、操作が単純で、傾けないように安全に重み付けおよび設計され、品質のよい材料から構築された、多目的台を提供することである。
【００１７】
なおさらなる目的は、上半身支持アセンブリの位置が、背下位支持アセンブリに関して可変であり得る、システムを提供することである。
【００１８】
患者を同時にまたは連続的にリフトおよび／または回転し得、このことが、椎骨セグメントのより有効かつ安全な牽引を含む、種々の処置オプションを医師に提供する、システムを提供することが、別の目的である。
【発明を実施するための最良の形態】
【００１９】
（発明の詳細な説明）
図１および図２を参照して、本発明が関する、患者の背の伸長、屈曲、牽引および伸延を達成するための本発明の脊柱指圧療法処置台は、脊柱指圧療法士、理学療法士、または物理療法医学に関与する他の健康の専門家の代表的な処置室の床１２に静置するように適合された基部１０を備えるように見え得る。脊柱指圧療法台は、この台の上で、種々の高さの患者の位置決めを可能にするために、必要に応じて一対の上昇手段１４および１６を備えるように見え得る。上昇手段１４および１６は、好ましくは、伸長可能な水圧ピストンを備え、この各々が、横軸２２を支持する上側端を備える。
【００２０】
図３において認められ得るように、軸２２は、剛性上半身支持フレーム２６のブロック支持体２５のチャネル２３内にジャーナルされる。
【００２１】
これにより、固定多目的処置台は、上側部分２８および下側部分３０を有する上記上側支持フレーム２６を備える。剛性支持フレーム２６の上記下側部分３０は、上記旋回ブロック２５（図３を参照のこと）に固定され、このブロックは、フレーム２６の下側部分３０のほぼ中点で、上記旋回軸２２上で回転可能である。さらに注意され得るように、上記上側部分２８は、上側支持プラットフォーム２６の上記下側部分３０により規定される平面に関して、約３０度の角度に方向付けられた平面を規定する。このような角度は、身体支持アセンブリ３２（図１を参照のこと）により患者の上半身が人間工学的に支持されることを可能にし、背を凸状に延ばし、基部１０に関して後方にすることを可能にする。支持アセンブリ３２は、上記剛性支持プラットフォーム２６の上記上側部分２８の上に設置される。上記身体支持アセンブリは、分解されてもされなくてもよく、水圧ピストンもしくは空気圧ピストン、または身体支持アセンブリ３２の上昇および下降のための他の手段を備える移動可能なセクションを備えていても備えていなくてもよい。
【００２２】
図１および２を参照して、このシステムはまた、一対の位置調節可能な腕支持手段４２および４４を必要に応じて備えるように認められ得る、この腕支持手段は、身体支持アセンブリ３２の側部の近くに位置付けられる。以下に示されるように、上記腕支持手段は、剛性支持プラットフォーム２６の上記上側部分２８に固定された、選択可能に調節可能な背面部分２６を備える。上記腕支持手段４２および４４は、（ｉ）実質的に水平なアームレスト５０；（ｉｉ）上記アームレストから患者の方向に後ろ側に設置され、内向きの角度になっている、腰および肩の支持体５１；ならびに（ｉｉｉ）上記腰および肩の支持体５１の近くで、一体型に上向きかつ内向きに吊られている傾斜ハンドグリップ５２を備える。
【００２３】
本発明の処置台は、腰および臀部の支持アセンブリ４０をさらに備えるように認められ得る、この腰および臀部の支持アセンブリは、上記身体支持アセンブリ３２から取り外される。腰アセンブリ４０は、テレスコープ型ピストンロッド５３および５５（図３を参照のこと）またはその上昇および下降を提供する他の手段に接続される。上記アセンブリは、支持および組織の可動化を追加するために、膨張式の気泡の形態の内部エアクッションを備え得る。同じことが、上半身支持アセンブリについても言える。足および下腿アセンブリ制御バー２０９およびフットレスト２０Ａがまた、図１において認められ得る。
【００２４】
図３において、腰背中アセンブリ１６０および下腿／足支持アセンブリ２００の全体図が示される。この図において、上記図面は、それぞれ、フレーム２６に結合した上側部分２８および下側部分３０を備える下腿／足支持アセンブリおよび剛性支持フレーム２６に関する腰背中支持アセンブリの全体的な位置を示す。また、図３において示されるのは、腰クッション４０および腰クッション水圧／空気圧伸長ロッド５３／５５であり、このロッドは、水圧ピストン１３８／１３９と組み合わせて、剛性支持フレーム２６の下側部分３０に関する腰クッションの角度を決定する。上記シリンダ１３８／１３９は、剛性支持フレームプレート１５０上に静置され、これ自体は、剛性支持フレーム空間バー１５２、および主要軸２２を通る主要水平軸チャネル２３を備えるブロック支持体１２５によって支持されている（図１および２を参照のこと）。
【００２５】
図３においてさらに示されるのは、下腿／足支持リンクキャスティング（ｌｉｎｋ  ｃａｓｔｉｎｇ）２１２、足チューブ２１４、フットレスト２０２および足首クッション２０４であり、これら全てが、下腿／足支持アセンブリ２００のものである。また、アセンブリ２００の側方回転機構２９０もこの図に示される。
【００２６】
図４において、下腿／足支持アセンブリおよびその剛性フレーム２６との関係性が、より詳細に示される。より具体的には、図４には、下腿／足支持アセンブリを垂直に位置決めする水圧２０８、ならびに、上記下腿／足支持リングキャスティング２１２および腰支持キャスティング１１２とのその関係性が示される。また、下腿／足支持リンクキャスティングのリンクキャスティング軸２１３、上記側方回転アセンブリ２９０、およびそこ横軸バー２１５、足チューブ２１４、側方足ブラケット２７４、足ロックハウジング２６４、フットレスト２０２、足首クッション２０４および下腿／足支持アセンブリ制御バー２０９が示される。また、矢印Ｕ、Ｄ、ＲおよびＬがこの図において示され、これらは、下腿／足支持アセンブリ２００の上下および左右の自由度を示す。
【００２７】
足支持アセンブリは、図５において、高くした位置で示される。この図において、垂直に位置決めする水圧ロッド２０８が、完全に縮まった位置で示され、この位置は、このアセンブリの垂直位置の上限に対応する。
【００２８】
図６において、中央部分のカバーが取り外された、足および下腿アセンブリの全体図が示される。下腿／足支持アセンブリの下位アセンブリは、足チューブ２１４（また図５を参照のこと）に静置され、このチューブは、下腿／足支持リンクキャスティング２１２に旋回可能に装着されており、それ自体は、垂直に位置決めするために剛性支持フレーム（軸２１３を参照のこと）に旋回可能に装着されており、それによって、足／下腿支持アセンブリを、下側支持フレーム３０の水平面の上３０°まで、そして、その下１５°まで、リフトアップすることを可能にすることに注意すべきである。
【００２９】
さらに図６において示されるのは、システムの側部ハンドル６６であり、側方回転アセンブリ２９０に関して、横軸バー２１５、足支持アセンブリ２００を足チューブ２１４に装着する垂直旋回軸２９４、ソレノイド２９８、およびソレノイドジャーナルプレート２９９が示される。従って、足支持アセンブリ制御バー２０９の制御３０３により、側方回転ソレノイド２９８が作動する際に、ジャーナルハウジングプレート２９９が、側方回転制御バー２９２上で左に回転し、それと共に下腿／足支持アセンブリ２００が回転する。
【００３０】
図７において、足側方ブラケット２７４を供えるアセンブリ２００の下面図が示される。上記図面において、足機械式ロック２６６が、２つの機械式ロックブラケット２６８および２６９によって、足ロックハウジング２６４に固定されている。機械式ロックロッド２２０は、アセンブリ２００の押出プレート２２６上にしっかりとねじ止めされている。機械式ロックソレノイド２７６が作動すると、上記機械式ロック２６６は、機械式ロックロッド２２０から開放され、足ロックハウジング２６４を、機械式ロックロッドに沿ってスライド可能にし、それによって、足／下腿支持アセンブリ２００の全長を調節する。種々の身長の患者に適合するように、アセンブリを所定の位置に固定する前である。システムの動力足牽引操作の間に、水圧ロッド２２０、ばねアセンブリ２２４、押出プレート２２６および全ての足側方ブラケット群２６０（図１１）が、一緒に移動する。
【００３１】
図８の分解図において、足側方ブラケット２７４および中央スライド２２８の前半分が認められ得る。この図において、水圧シリンダ２１８が、足チューブ２１４内に設置され、ここから、水圧ロッド２２０に電力供給される。水圧ロッドの他の端は、ばねアセンブリ２２４にしっかりと固定され、次いで、押出プレート２２６に設置される。上記プレートは、それ自体は、水圧／空気圧の線形牽引のために、中央スライド２２８に設置されている。中央スライド２２８は、外側スライド２１６の上をスライドする。
【００３２】
また、押出プレート２２６が、上記機械式ロックロッド２２０に装着されており、これは、足チューブ群２１０の残りと平行に延びる。足側方ブラケット群２６０の内側スライド２７０は、線形移動を可能にするために、上記中央スライド２２８内に挿入されている。そのハウジングを通して足側方ブラケット群２６０に固定されている機械式ロック２６６は、足側方ブラケット群２６０が、足チューブ群２１０に関して線形に移動するにつれ、機械式ロックロッド２２０に沿ってスライドする。足側方ブラケット群２６０のスライド移動は、患者の高さ調節のために使用される。
【００３３】
機械式ロック２１６が、機械式ロックロッド２２０に固定された後、上記足側方ブラケット群は、水圧ロッド２２１に関して固定され、次いでこれは、足側方ブラケット群２６０に線形牽引電力を提供するために使用され得る。このような電力牽引は、外側スライド２１６内に移動する上記中央スライド２２８によって、ならびに、足牽引シリンダである、水圧シリンダ２１８自体の作動によって、線形にガイドされる。
【００３４】
図９において、特に、その足チューブ群２１０を備える足および下腿支持アセンブリ２００の露出図（ｅｘｐｏｓｅｄ  ｖｉｅｗ）が示される。足チューブ２１４は、その中に配置される水圧シリンダ２１８を露出するように認められ得る。さらに、足側方ブラケット２７４の１つが示される。さらに、水圧ロッド２２１は、押出プレート２２６に装着された、ショック吸収ばねアセンブリ２２４に接続され、次いで、これが、その各側の中央スライド２２８に設置されていることが認められ得る。内側スライド２７０は、足側方ブラケット２７４の内側に固定される。外側スライド２１６は、足チューブ２１４の側部に外部から装着される。中央スライド２２８および内側スライド２７０は、足ロック灰ジング内の機械式ロックによって間接的にロックされて、足側方ブラケットへの水圧電力の移動を保証する。図９においてまた、水圧シリンダ２１８の近位出口における過剰な圧力状態をモニターするロードセル２１９、および足チューブ２１４がその上で回転する、垂直軸２９４が示される。
【００３５】
図１０において、足／下腿支持リンクキャスティング２１２、垂直軸２９４、足チューブ２１４、横方向の側方回転バー２１５、玉軸受けスライドアセンブリ２３２、足ロックハウジング２３０、足側方ブラケット２７４、および押出プレート２２６を含む、足および下腿支持アセンブリ２００の主要な構成要素が示される。この図において、足チューブ２１４は、足牽引水圧アセンブリ（図示せず）に適合し、足支持リンクキャスティング２１８の軸２９４上で水平方向に旋回する。足首クッション、足支持アセンブリ制御バー（図示せず）、および足首ハーネスが、足側方ブラケット上に設置され、玉軸受けスライドアセンブリ２３２によって、足チューブ２１４の上にスライド可能に設置されている。図７に示すように、機械式ロッキングアセンブリは、足ロックハウジング２３０の内側に設置され、患者の高さ調節が必要とされる場合に、足アセンブリの主要な構成要素をロック解除するように作動する。
【００３６】
図１１において、足チューブ群２１０および足側方ブラケット群２６０が示される。この図において、足ブラケット群は、垂直軸２９４によって足支持リンクキャスティング２１２に旋回可能に装着され、水圧シリンダ２１８、水圧ロッド２２０およびばねアセンブリ２２４を備える、足牽引水圧アセンブリを備える。
【００３７】
足側方ブラケット群２６０は、上記内側スライド２７０、中央スライド２２８および外側スライド２１６によって、足チューブ群２１０にスライド可能に装着される。患者の身長に適合するための個々の調節は、機械式ロック２６６を機械式ロックロッド２２２上をスライドさせ、こうして、足側方ブラケット群２６０の、足チューブ群２１０の水圧ロッド２２０に対する相対位置の調節の後に、機械式ロックロッドに足機械式ロックをロックすることによってなされる。
【００３８】
図６に関連する図１２は、足／下腿支持アセンブリ２００の側方回転運動および側方回転運動アセンブリ２９０の図である。この図面において、足支持アセンブリは、旋回軸２９４において、足／下腿支持リンクキャスティング２１２に旋回可能に装着されており、下腿および脚の側方（左右）の動きを達成する。側方回転機械式ロックアセンブリ（図６において上により完全に説明される）は、線形ロッド２９４を通って脚チューブ２１６に連結し、この線形ロッドは、側方回転アセンブリ２９０のジャーナルプレート２９９を、玉軸受けスライドアセンブリ２３２上に載っている横軸バー２１５に接続する（図１０をまた参照のこと）。これにより、側方運動制御スイッチ３０３による側方回転ソレノイド２９８の作動は、足支持アセンブリの左右運動を支配する。一旦側方回転機械式ロック３０１によりロックされると、剛性フレーム３０に対する足支持アセンブリ２００の相対的な斜めの角度が維持される。
【００３９】
図１２においてまた、下腿／支持アセンブリ制御バー２０９に関連するコントロール、すなわち、電力牽引Ｙ軸制御スイッチ３００および３０２、ならびに、患者の高さ、Ｙ軸調節スイッチ３０４が示される。図１２においてまた、ＬＣＤリーダー２０７、フットレスト２０２、足首クッション２０４、および足首ストラップブラケット２０３が示される。
【００４０】
図１および図２はさらに、医師による使用のためのシステム７４を例示することが理解されるべきであり、このシステムは、以下の機能ボタンを備える：
１．ＴＢＬ  ＬＦＴ＝台を上昇。
２．ＴＢＬ  ＬＷＲ＝台を下降。
３．ＲＯＴ  ＢＡＣＫ＝台を後向きに回転。
４．ＲＯＴ  ＦＷＤ＝台を前向きに回転。
５．ＡＲＭ  ＵＰ＝並進アームの高さを上昇。
６．ＡＲＭ  ＤＷＮ＝並進アームの高さを下降。
７．ＯＰＥＮ
８．ＯＰＥＮ
９．ＡＲＭ  Ｒ．ＵＰ＝アームを回転しながら上昇。
１０．ＡＲＭ  Ｒ．ＤＯＷＮ＝アームを回転しながら下降。
１１．ＬＵＭ  ＩＮ＝腰を入れる（Ｌｕｍｂｅｒ  Ｉｎ）。
１２．ＬＵＭ  ＯＵＴ＝腰を出す（Ｌｕｍｂｅｒ  Ｏｕｔ）。
１３．ＯＰＥＮ
１４．ＯＰＥＮ
１５．ＲＢＫ  ＴＬ＝台を上昇しつつ、台を後向きに回転。
１６．ＲＦＷ  ＴＬＷ＝台を下降しつつ、台を前向きに回転。
１７．ＳＡＦＥＴＹ  ＯＮ  ＡＮＤ  ＯＦＦ＝空気圧／水圧ピストンを停止し、全ての台の動きを中止する、安全オンオフボタンが備え付けられる。
【００４１】
安全性の指標として、他の機能の最適な患者の制御を有するコントロールがまた、オーバーヘッド把持手段５４、またはハンドグリップ４２（図１および２を参照のこと）に備え付けられ得る。
【００４２】
本発明の好ましい実施形態が示され、説明されてきたが、本発明は、本明細書中に具体的に示され、説明されてきたもの以外を具体化し得ること、そして、上記実施形態の範囲内で、特定の変更が、本発明の根底にある概念または原理から逸脱することなく、形態および部品の配置においてなされ得ることが理解されるべきである。
【図面の簡単な説明】
【００４３】
【図１】図１は、本発明の多機能脊柱指圧療法処置台の正面からの斜視図である。
【図２】図２は、その背面からの対角斜視図である。
【図３】図３は、腰背支持アセンブリ、ならびに下腿および足支持アセンブリの全体的な側面斜視図である。
【図４】図４は、下腿／足支持アセンブリの垂直方向の位置決めを示す、斜視図である。
【図５】図５は、図４のものと同じであるが、腰アセンブリに関して上昇していた足支持体部分を示す図である。
【図６】図６は、中央部分カバーが取り除かれ、システムの側方回転運動機構を示す、下腿および足支持アセンブリの全体図である。
【図７】図７は、下腿および足支持アセンブリの下面図であり、足側方ブラケットに装着されたその足ロックハウジングを示す。
【図８】図８は、足チューブおよび足側方ブラケット群の構成要素を含む、下腿−足支持アセンブリの構成要素の側面分解図である。
【図９】図９は、下腿および足支持アセンブリの内側の構成要素の分解図である。
【図１０】図１０は、下腿および足支持アセンブリの主要な構成要素の組立て図である。
【図１１】図１１は、足および下腿支持アセンブリの２つの主要なサブグループの組立て図である。
【図１２】図１２は、図６に加えて、下腿／足支持アセンブリの側方回転運動に関連する構成要素の組立て図である。
【図１】
2006523512.tif 000003
【図２】
2006523512.tif 000004
【図３】
2006523512.tif 000005
【図４】
2006523512.tif 000006
【図５】
2006523512.tif 000007
【図６】
2006523512.tif 000008
【図７】
2006523512.tif 000009
【図８】
2006523512.tif 000010
【図９】
2006523512.tif 000011
【図１０】
2006523512.tif 000012
【図１１】
2006523512.tif 000013
【図１２】
2006523512.tif 000014
【国際調査報告】
2006523512.tif 000015